(57)【要約】      （修正有）【課題】所望のイベントに関する有用な情報を提供する。【解決手段】撮影地情報、及び撮影時に関する情報が関連付けられた画像データを記憶する画像記憶部２６と、前記画像データに対する評価の評価値を取得する評価取得部２２と、前記画像データに関連付けられた前記評価値が所定の閾値を超えた場合、前記画像データに関連付けられている撮影地情報を登録する登録部２８と、ネットワークを介して通信可能な端末のアドレス、及び所定のイベントに関する情報を記憶する個人情報記憶部２４と、各地で開催されるイベントとその開催場所、開催期間を対応付けたイベントデータを記憶するイベントデータベースと、前記撮影地に対応する場所において、前記撮影時に対応する期間に開催される前記所定のイベントについての前記イベントデータを検索する検索部２０と、前記イベントデータが検索された場合、前記撮影地情報を前記アドレスに送信する通知部２２とを備える。【選択図】図２
2015011415.tif 000002
【特許請求の範囲】
【請求項１】
撮影地情報、及び撮影時に関する情報が関連付けられた画像データを記憶する画像記憶部と、
前記画像データに対する評価の評価値を取得する評価取得部と、
前記画像記憶部に記憶されている前記画像データに前記評価取得部により取得した前記評価値を関連付けて記憶させる記憶制御部と、
前記画像データに関連付けられた前記評価値が所定の閾値を超えた場合、前記画像データに関連付けられている撮影地情報を、前記評価値が前記所定の閾値を超えていない他の画像データに関連付けられている他の撮影地情報と区別して登録する登録部と、
ネットワークを介して通信可能な端末のアドレス、及び所定のイベントに関する情報を記憶する個人情報記憶部と、
各地で開催されるイベントとその開催場所、開催期間を対応付けたイベントデータを記憶するイベントデータベースから前記イベントデータを検索する検索部と、
前記撮影地情報が前記登録部に登録された際に、前記撮影地情報、前記撮影時に関する情報、及び前記所定のイベントに関する情報に基づいて、前記撮影地に対応する場所において前記撮影時に対応する期間に開催される前記所定のイベントについての前記イベントデータを前記検索部に検索させる検索制御部と、
前記検索部により、前記撮影地に対応する場所において前記撮影時に対応する期間に開催される前記所定のイベントについての前記イベントデータが検索された場合、前記撮影地情報を前記アドレスに送信する通知部と
を備えることを特徴とする画像評価サーバ。
【請求項２】
前記画像データには、更にイベントの特徴情報が関連付けられ、
前記個人情報記憶部には、更に所定のイベントの特徴に関する情報が記憶され、
前記通知部は、前記イベントの特徴情報と所定のイベントの特徴に関する情報とが符合する場合に前記撮影地情報を前記アドレスに送信することを特徴とする請求項１記載の画像評価サーバ。
【請求項３】
類似するイベントの特徴同士を関連付けたファイル記憶する関連情報記憶部と、
前記関連情報記憶部に記憶されている前記ファイルを参照して、前記イベントの特徴情報と所定のイベントの特徴に関する情報とが類似するか否かを判定する判定部と
を備え、
前記通知部は、前記判定部により、前記イベントの特徴情報と前記所定のイベントの特徴に関する情報とが類似すると判定された場合に前記撮影地情報を前記アドレスに送信することを特徴とする請求項２記載の画像評価サーバ。
【発明の詳細な説明】
【技術分野】
【０００１】
本発明は、画像評価サーバに関するものである。
【背景技術】
【０００２】
従来、WEBサイトにアップロードされた画像の画像データを所定のキーワードと関連付けてサーバに登録するシステムが知られている（例えば、非特許文献１参照）。このWEBサイトによれば、例えば、「春」等のキーワードを入力して検索することにより、「春」に関連する画像を閲覧することができる。
【０００３】
また、撮影場所と撮影日時が付加された画像データを保管する画像データベースと、開催場所及び開催日時が対応付けられたイベント情報を保管するイベントデータベースとを備えるサーバが知られている（例えば、特許文献１参照）。このサーバによれば、ユーザは所望のイベントを指定することにより、指定されたイベントに関連する画像を閲覧することができる。
【先行技術文献】
【非特許文献】
【０００４】
【非特許文献１】http://www.nagano-tabi.net/modules/suteki/（長野県公式観光ウェブサイト  さわやか信州旅.net）
【特許文献】
【０００５】
【特許文献１】特開２００３−３３３４８６号公報
【発明の概要】
【発明が解決しようとする課題】
【０００６】
しかしながら、上述のWEBサイトにおいては、自由に画像データをアップロードすることができるため登録情報が雑多になりがちである。このためユーザは、撮影名所等の有用な情報に絞り込まれた検索結果を得ることができないという問題がある。
【０００７】
また、上述のサーバにおいては、閲覧者による評価が画像に反映されていないため、撮影名所等の評価の高いイベント開催地の画像を提供することができないという問題がある。
【０００８】
本発明の目的は、所望のイベントに関する有用な情報を提供することができる画像評価サーバを提供することである。
【課題を解決するための手段】
【０００９】
本発明の画像評価サーバは、撮影地情報、及び撮影時に関する情報が関連付けられた画像データを記憶する画像記憶部と、前記画像データに対する評価の評価値を取得する評価取得部と、前記画像記憶部に記憶されている前記画像データに前記評価取得部により取得した前記評価値を関連付けて記憶させる記憶制御部と、前記画像データに関連付けられた前記評価値が所定の閾値を超えた場合、前記画像データに関連付けられている撮影地情報を、前記評価値が前記所定の閾値を超えていない他の画像データに関連付けられている他の撮影地情報と区別して登録する登録部と、ネットワークを介して通信可能な端末のアドレス、及び所定のイベントに関する情報を記憶する個人情報記憶部と、各地で開催されるイベントとその開催場所、開催期間を対応付けたイベントデータを記憶するイベントデータベースから前記イベントデータを検索する検索部と、前記撮影地情報が前記登録部に登録された際に、前記撮影地情報、前記撮影時に関する情報、及び前記所定のイベントに関する情報に基づいて、前記撮影地に対応する場所において前記撮影時に対応する期間に開催される前記所定のイベントについての前記イベントデータを前記検索部に検索させる検索制御部と、前記検索部により、前記撮影地に対応する場所において前記撮影時に対応する期間に開催される前記所定のイベントについての前記イベントデータが検索された場合、前記撮影地情報を前記アドレスに送信する通知部とを備えることを特徴とする。
【発明の効果】
【００１０】
本発明の画像評価サーバによれば、所望のイベントに関する有用な情報を提供することができる。
【図面の簡単な説明】
【００１１】
【図１】実施の形態に係る画像評価システムの構成を示すブロック図である。
【図２】実施の形態に係る画像評価サーバの構成を示すブロック図である。
【図３】実施の形態に係る端末の構成を示すブロック図である。
【図４】実施の形態に係る画像評価システムの処理を示すフローチャートである。
【発明を実施するための形態】
【００１２】
以下、図面を参照して本発明の実施の形態に係る画像評価システムについて説明する。図１は、実施の形態に係る画像評価システム２の構成を示すブロック図である。画像評価システム２は、画像の評価処理を行う画像評価サーバ４を備え、画像評価サーバ４はネットワーク６を介して種々の端末と通信可能となっている。
【００１３】
ここで、上記端末８には、デジタルカメラ、スマートフォン、タブレット端末、携帯電話のように画像を撮影することが可能な撮像装置のほか、画像データを保存可能なパソコンなどが含まれている。いずれの端末も、画像評価サーバ４に対して通信接続可能な通信装置を内蔵、または外部機器として装着している。
【００１４】
図２は、実施の形態に係る画像評価サーバ４の構成を示すブロック図である。画像評価サーバ４は、通信可能な端末からの画像評価を受け付ける画像評価サイト（図示せず）を提供するサーバであり、画像評価サーバ４の各部を統括的に制御するＣＰＵ２０を備えている。ＣＰＵ２０には、ネットワーク６を介して端末８との通信を行う通信部２２、アドレス等の個人情報を予め記憶する個人情報記憶部２４、ネットワーク６を介して端末８からアップロードされた画像の画像データを記憶する画像記憶部２６、所定の評価がなされた画像の撮影地点の位置情報を記憶する撮影名所記憶部２８、及びイベントデータベース２９が接続されている。
【００１５】
ここで、個人情報記憶部２４には、撮影名所情報の通知を希望する検索端末１２のユーザ（以下、サービス利用者という。）のアドレス、サービス利用者が興味や関心を有する所定のイベントに関する情報等が個人情報として予め登録されている。なお、所定のイベントに関する情報としては、例えば、所望するイベントのジャンル（例えば、祭り、博覧会等）、所望するイベントの名称（例えば、古本祭り等）等が登録される。また、サービス利用者は、必要に応じて所望するイベントの特徴を表すキーワード（例えば、神輿、花車等）を登録することができる。
【００１６】
また、イベントデータベース２９には、イベントデータとして、例えば、全国主要地点において開催される祭りや催し物のイベント名が、開催場所、開催期間等と対応付けて記憶されている。これらのイベントデータは、所定のイベント情報サイト（例えば、官公庁、自治体、企業等のサイト）からネットワーク６を介して取得され、一定の時間間隔で適宜更新される。
【００１７】
図３は、実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＬＣＤ表示部３８、及び画像データを記憶するメモリカード５２を装着するメモリカードスロット５３が接続されている。なお、パソコン以外の端末８は、更にＧＰＳ衛星から受信した信号に基づいて現在位置を測位するＧＰＳ、及び被写体光を撮像して撮像信号を生成する撮像素子を備えている。
【００１８】
次に、実施の形態に係る画像評価サーバ４によって提供される画像評価サイトに画像をアップロードする処理について説明する。画像をアップロードしようとする者（登録者／アップローダ）は、端末８（デジタルカメラやスマートフォン、タブレット端末、携帯電話、パソコン）から画像評価サイトへアクセスする。次に、登録者により、端末８に装着されたメモリカード５２に記憶されている画像データの中から一枚または複数枚の画像データが選択され、画像評価サイトにアップロードされる。ここで、メモリカード５２に記憶されている画像データにはタグ情報として、ファイル名、位置情報、撮影月日情報、及び撮影条件等が付加されている。
【００１９】
なお、登録者は、画像をアップロードする際に、画像に写っているイベントの特徴等を画像データに付加することができる。例えば、祭りを撮影した画像に神輿が写っている場合、操作者は、「神輿」のようにキーワードを画像データに付加することができる。
【００２０】
次に、画像評価サーバ４のＣＰＵ２０は、画像評価サイトにアップロードされた画像を公開し閲覧可能な状態とすると共に、アップロードされた画像の画像データを画像記憶部２６に記憶する。
【００２１】
次に、図４に示すフローチャートを参照して、実施の形態に係る画像評価システム２における画像評価処理について説明する。なおフローチャートは、画像評価サーバ４のＣＰＵ２０を主体として記載されている。
【００２２】
まず、画像を評価しようとする者（評価者）が、端末８（デジタルカメラ、スマートフォン、タブレット端末、携帯電話、パソコン）のブラウザから画像評価サイトへアクセスすると、端末８のＬＣＤ表示部３８に画像評価サイトの画面が表示される。
【００２３】
次に、評価者により、画像評価サイトに掲載されている画像の評価が入力される。例えば、評価者は、画像評価サイトに掲載されている複数の画像の中から図示しない画像Ｘを選択し、画像Ｘに対する評価点数を入力する。ここで、画像Ｘは画像データＸ´（図示せず）に基づく画像であり、撮影地点Ｙ（図示せず）で撮影されたものとして以下の説明を行う。
【００２４】
画像Ｘに対する評価点数が入力されると、画像評価サーバ４のＣＰＵ２０は、画像記憶部２６に記憶されている画像Ｘの画像データＸ´に評価点数を付加する（ステップＳ１）。ここで、画像データＸ´に既に評価点数が付加されている場合、既に画像データＸ´に付加されている評価点数に新たな評価点数が加算される。
【００２５】
次に、ＣＰＵ２０は、画像データＸ´に付加されている評価点数の合計が所定の点数を超えたか否かを判定する（ステップＳ２）。合計が所定の点数を超えていない場合（ステップＳ２：Ｎｏ）、ステップＳ１に戻り、継続して画像Ｘに対する評価を受付ける。一方、合計が所定の点数を超えた場合（ステップＳ２：Ｙｅｓ）、ＣＰＵ２０は、画像Ｘの撮影地点Ｙを評価点数の合計が所定の点数を超えていない画像の撮影地点と区別し、撮影地点Ｙを「撮影名所」として登録する（ステップＳ３）。例えば、画像データＸ´に付加されている撮影地点Ｙの位置情報を撮影名所情報として撮影名所記憶部２８に記憶する。
【００２６】
次に、ＣＰＵ２０は、撮影名所記憶部２８に記憶された画像Ｘの撮影地点Ｙの位置情報を読み出すと共に、画像Ｘの画像データＸ´に付加されている撮影月日情報を読み出す。また、個人情報記憶部２４に登録されているイベントに関する情報を読み出す。例えば、サービス利用者Ａが所望するイベントのジャンルとして、「祭り」を個人情報記憶部２４に登録していた場合、所望するイベントのジャンル「祭り」を読み出す。なお、ここでは、便宜上サービス利用者Ａの他にイベントに関する情報を登録しているサービス利用者がいないものとして説明を行う。
【００２７】
次に、ＣＰＵ２０は、撮影地点Ｙの位置情報、画像データＸ´に付加されている撮影月日情報、及び所望するイベントのジャンル「祭り」に基づいて、これらの情報に対応するイベントデータがイベントデータベース２９に記憶されているか否かを検索する（ステップＳ４）。即ち、画像Ｘの撮影月日に撮影地点Ｙで開催される予定の「祭り」があるか否かを検索する。
【００２８】
画像Ｘの撮影月日に撮影地点Ｙで開催される予定の「祭り」がない場合（ステップＳ４：Ｎｏ）、ＣＰＵ２０は、一連の処理を終了する。一方、画像Ｘの撮影月日に撮影地点Ｙで開催される予定の「祭り」がある場合（ステップＳ４：Ｙｅｓ）、ＣＰＵ２０は、サービス利用者Ａが所望するイベントの特徴を表すキーワードが個人情報記憶部２４に登録されているか否かを判定する（ステップＳ５）。
【００２９】
サービス利用者Ａが所望するイベントの特徴を表すキーワードが個人情報記憶部２４に登録されていない場合（ステップＳ５：Ｎｏ）、ＣＰＵ２０は、サービス利用者Ａのアドレスに、撮影地点Ｙの撮影名所情報を通知する（ステップＳ７）。例えば、サービス利用者Ａの利用する端末８がスマートフォンである場合、スマートフォンのメールアドレスに宛てて、「新規に登録された人気の撮影スポットをお知らせします。」等のメッセージに撮影地点Ｙの撮影名所情報添付した電子メールを送信する。
【００３０】
一方、サービス利用者Ａが所望するイベントの特徴を表すキーワードが個人情報記憶部２４に登録されている場合（ステップＳ５：Ｙｅｓ）、ＣＰＵ２０は、個人情報記憶部２４に登録されているキーワードが画像データＸ´に付加されているキーワードと符合するか否かを判定する（ステップＳ６）。例えば、サービス利用者Ａの所望するイベントの特徴を表すキーワード「神輿」が個人情報記憶部２４に登録されている場合、画像データＸ´に付加されているキーワードが「神輿」であるか否かを判定する。
【００３１】
個人情報記憶部２４に登録されているキーワードが画像データＸ´に付加されているキーワードと符合しない場合（ステップＳ６：Ｎｏ）、ＣＰＵ２０は、一連の処理を終了する。一方、個人情報記憶部２４に登録されているキーワードが画像データＸ´に付加されているキーワードと符合する場合（ステップＳ６：Ｙｅｓ）、ＣＰＵ２０は、サービス利用者Ａのアドレスに、撮影地点Ｙの撮影名所情報を通知する（ステップＳ７）。例えば、画像データＸ´にキーワード「神輿」が付加されていた場合、ＣＰＵ２０は、サービス利用者Ａのスマートフォンのメールアドレスに宛てて、「あなたの興味に合う新しい撮影スポットをお知らせします。」等のメッセージを記載した電子メールを送信する。また、電子メールには、撮影地点Ｙの撮影名所情報、「神輿」が写っている画像Ｘの画像データＸ´等を添付して送信する。
【００３２】
この実施の形態に係る画像評価システム２によれば、撮影地点Ｙが撮影名所として登録された場合に、サービス利用者が所望するイベントに関連する撮影名所情報を通知するため、サービス利用者は所望のイベントに関する有用な情報を得ることができる。また、サービス利用者にとって必要のない撮影名所の情報を通知することを防止することができる。また、元の画像データＸ´にサービス利用者が所望するイベントの特徴を表すキーワードが付加されている場合、撮影地点Ｙが特にサービス利用者の関心が高い撮影名所であることを通知するため、サービス利用者は所望の被写体を撮影できそうな撮影名所を的確に把握することができる。
【００３３】
なお、上述の実施の形態において、類似するキーワード同士を関連付けたファイルを記憶する関連情報記憶部を画像評価サーバ４に備えてもよい。そして、ステップＳ６においてキーワードが符合しない場合に関連情報記憶部に記憶されているファイル参照し、個人情報記憶部２４に登録されているキーワードと画像データＸ´に付加されているキーワードが類似するか否かを判定してもよい。
【００３４】
例えば、「神輿」と「花車」が類似するキーワードとしてファイル内で関連付けられていたとする。ここで、キーワード「神輿」が個人情報記憶部２４に登録され、キーワード「花車」が画像データＸ´に付加されていた場合、ＣＰＵ２０は、ファイルを参照し、「神輿」と「花車」とが類似するキーワードであると判定する。次に、ＣＰＵ２０は、ステップＳ７において、サービス利用者Ａのスマートフォンのメールアドレスに宛てて、「新規に登録されたお薦めの撮影スポットをお知らせします。」等のメッセージに撮影地点Ｙの撮影名所情報を添付した電子メールを送信する。これにより、サービス利用者は参考となる有用な情報を得ることができる。
【００３５】
また、上述の実施の形態において、所望するイベントの名称が個人情報記憶部２４に登録されている場合、所望するイベントのジャンルに代えて、所望するイベントの名称に基づいてイベントデータベース２９を検索してもよい。例えば、サービス利用者Ａの所望するイベントの名称「古本祭り」が個人情報記憶部２４に登録されていたとする。この場合、ＣＰＵ２０は、撮影地点Ｙの位置情報、画像データＸ´に付加されている撮影月日情報、及び所望するイベントの名称「古本祭り」に基づいて、画像Ｘの撮影月日に撮影地点Ｙで開催される予定の「古本祭り」があるか否かを判定する。この場合、所望するイベントのジャンルに基づいて検索する場合よりも検索対象を絞り込むことができる。
【００３６】
また、上述の実施の形態において、個人情報記憶部２４に所望するイベントのエリア（例えば、「京都」等）を登録できるようにしてもよい。そして、イベントデータベース２９を検索する際に、画像Ｘの撮影地点Ｙの位置情報に代え、所望するイベントのエリアを用いてもよい。例えば、所望するイベントのジャンル「祭り」、所望するイベントのエリア「京都」が個人情報記憶部２４に登録されていた場合、画像Ｘの撮影月日に「京都」で開催される予定の「祭り」があるか否かを検索してもよい。
【００３７】
また、上述の実施の形態において、イベントデータベース２９内のイベントデータには、過去に開催された祭りや催し物のイベント名、開催場所、開催期間等が記憶されていてもよい。そして、画像Ｘの撮影月日に撮影地点Ｙで開催される予定の「祭り」がない場合、ＣＰＵ２０は、過去に画像Ｘの撮影月日に撮影地点Ｙで開催された他のジャンルのイベントを検索する。ここで例えば、２年前の画像Ｘの撮影月日に撮影地点Ｙで開催された「花火大会」が検索された場合、ＣＰＵ２０は、撮影地点Ｙの撮影名所情報を知らせる電子メールを送信する際に、２年前に撮影地点Ｙで開催された花火大会の情報を参考資料として添付する。
【００３８】
また、上述の実施の形態において、イベントデータに記録されている祭りや催し物が毎年特定の月または週等に定期的に開催されるイベントである場合には、その旨をイベント名、開催場所、開催期間等に対応付けて記憶してもよい。そして、画像Ｘの撮影月日に撮影地点Ｙで開催される予定の「祭り」がない場合、ＣＰＵ２０は、画像Ｘの撮影された月、または画像Ｘの撮影された週に撮影地点Ｙで開催される予定の「祭り」があるか否かを検索する。
【００３９】
また、上述の実施の形態のステップＳ４における検索条件を緩和してもよい。例えば、画像Ｘの撮影月日を含む所定の期間内に撮影地点Ｙから所定の距離内で開催される予定の「祭り」があるか否かを検索する。ここで、所定の期間、所定の距離については、サーバ管理者が任意に設定することができる。
【００４０】
また、上述の実施の形態において、所望するイベントの特徴を表すキーワードは、画像を閲覧したユーザが画像データに付加してもよく、画像に評価点数を入力した評価者が画像データに付加してもよい。
【００４１】
また、上述の実施の形態において、画像評価サーバ４がイベントデータベース２９を備えていなくてもよい。この場合、ステップＳ４において、ＣＰＵ２０は、ネットワーク６を介して所定のイベント情報サイトにアクセスし、画像Ｘの撮影月日に撮影地点Ｙで開催される予定の「祭り」を検索する。
【符号の説明】
【００４２】
２…画像評価システム、４…画像評価サーバ、６…ネットワーク、８…端末、２０…ＣＰＵ、２２…通信部、２４…個人情報記憶部、２６…画像記憶部、２８…撮影名所記憶部、２９…イベントデータベース、３０…ＣＰＵ、３２…通信部、３８…ＬＣＤ表示部
【図１】
2015011415.tif 000003
【図２】
2015011415.tif 000004
【図３】
2015011415.tif 000005
【図４】
2015011415.tif 000006